(57)【要約】  【課題】指輪等宝飾品、腕時計等精密技術工芸品および鉢、碗、籠等置物類を恰も人が手に取り三次元空間で傾け角度を変えながらの観察および容器置物等では外周と開口内の覗き込み観察を可能とし、自動巻き腕時計を展示しながら巻き上げ動作をも可能とする多目的対応の宝飾品展示装置を提供する。  【解決手段】展示品を載置せる盤面を水平面に対し設定した傾斜角θを一定又は変化させながら盤面の方位のみ旋廻させる揺動動作により宝飾品には三次元空間の反射と屈折による多彩な光彩変化を与え、自動巻き腕時計では工芸品としての光彩効果と展示しながら巻き上げ動作が可能となり、また揺動機構自体を水平旋回させることにより鉢、碗、籠等置物類の展示品には揺動動作による開口部への覗き込み観覧、三次元空間の反射光彩に加え、旋廻動作による３６０度の外観観察を複合して同時的に観賞可能とするものである。【選択図】  図１１
2008080107.tif 000002
【特許請求の範囲】
【請求項１】
宝飾品を載置する展示台盤１を上部で支持する軸棒２と、この軸棒２に直交して左右に突出した架軸２ｃと、この架軸２ｃと軸棒２との交点Pを中心とし且つ架軸２ｃの両端部を回動自在に取り付けて軸棒２をとり囲む軸受環３と、この軸受環３の外側を端部が支持しかつ前記架軸２ｃと同一平面上で直交交叉する一対の支持軸４と、この一対の支持軸４を支えて台形状のハウジング５の上部５ｂに設けられた一対の支持ブロック４ａと、ハウジング５の内部に設けられて軸棒２の下部を回転させる駆動機構Aとを備え、この駆動機構は回転駆動源をなす駆動軸８と、この駆動軸に取り付けられ軸棒２の下部の回転半径Rを腕具長で設定できるよう構成した継手７と、この継手７に取り付けられ横方向に張り出し、前記棒軸２の下部を腕具６の緩み孔６ａに嵌抜し自在に回転できるよう支持した腕具６と、駆動軸８は交点Pを通る垂直線に対し偏移距離Dを設定できる偏移設定機構Bと、腕具６で旋回駆動される軸棒２の偏移方向の偏角θを非対称ならしめ台盤１の傾斜角を該傾斜面の法線方位の旋回に伴い変化させる調整機能から構成されている回転展示装置。  
【請求項２】
第１の展示台盤１を上部で支持する軸棒２と、この軸棒２に直交して左右に突出した架軸２ｃと、これら両軸の交点Pを中心とし且つ架軸２ｃの両端部を回動自在に取り付けて軸棒２をとり囲む軸受環３と、この環の外側に端部が支持されかつ前記架軸２ｃと同一平面上で直交交叉する一対の支持軸４と、この一対の支持軸を支えてハウジング５の上部に設けられた一対の保持ブロック４ａと、ハウジング５の内部に設けられて軸棒２の下部を回転させる駆動機構とを備え、この駆動機構は駆動源をなす回転駆動軸８と、該回転駆動軸８に軸棒２を旋回駆動させるための緩み孔６‐１ａを設けたベルト駆動輪６‐１を取り付けてかつ該駆動軸８が前記交点Pよりの垂線に対する偏移距離Dの設定可能なるよう構成した第１盤面駆動機構と、前記第１盤面駆動機構の構成に対しベルト駆動輪６‐１と駆動軸８を排しベルト被動輪６‐２と該被動輪を空転支持する軸８‐１に置き換えた構成以外第１盤面駆動機構と同等の構成とした１または複数の第２盤面駆動機構と、第１盤面駆動機構と第２盤面駆動機構を共通の基台に搭載し第１盤面駆動機構のベルト駆動輪６‐１より１または複数の第２盤面駆動機構のベルト被動輪６‐２に対しベルト懸装した構成からなる多面展示装置。
【請求項３】
請求項１に記載の構成において直交二軸軸受環３の直径方向の対向している支持軸４と前記軸受環３を水平面内でＰを通る垂線を軸として回転可能なるよう構成された歯車４ｂの中央軸柱孔内において水平に支持しかつ支持軸４の周りに軸受環３が回転し得る軸受環３の支持機構と、
歯車４ｂをハウジング５の上部面５ｂにスラスト軸受を介して垂直荷重下の回転を可能とした支持機構と、歯車４ｂをピニオン歯車４ｅでもって回転駆動する機構と、駆動軸８を中心として軸棒２の下部を旋回させる駆動機構を備え、
この駆動機構は回転駆動源をなす駆動軸８と、この駆動軸に取り付け軸棒２の下部の回転半径Rを設定できるよう構成した継手７と、
この継手７に取り付けられ横方向に張り出し、前記棒軸２の下部を腕具の緩み孔６ａに嵌抜し自在に回転できるよう支持した腕具６と、
駆動軸８は交点Pを通る垂直線に対し偏移距離Dを設定できる偏移設定機構Bと、腕具６で旋回駆動される軸棒２の偏移方向の偏角θを非対称ならしめ台盤１の傾斜角を該傾斜面の法線方位の旋回に伴い変化させる調整機能から構成されている回転展示装置。  
【請求項４】
展示盤面１を反復揺動させる駆動源として駆動軸８を機能させるために双方向回転の可能なモータ９ｂと、該モータの回転方向を決定付ける極性反転開閉器１１ｆと、該モータの片方向の回転持続時間乃至は正、逆転の反復１周期の時間を設定する反復時間設定器１１ｅと、該モータの回転速度を設定することにより盤面１の傾斜面方位の旋回速度を設定する盤面方位旋回速度設定器１１ｂとを主な構成要素とする盤面反復動作回路ブロック５‐１を請求項１、請求項２および請求項３のいずれかに記載の展示装置に具備して成る展示装置。
【発明の詳細な説明】
【技術分野】
【０００１】
指輪、ペンダントおよび腕時計等の宝飾品を展示する装置であって展示品を載置する台盤を電動方法により揺動させ、宝飾品の光彩変化による美観効果の増強を意図した展示装置および自動巻き腕時計に対しては展示中においても稼動状態を維持するための巻き上げ動作機能を有する展示装置に関するものである。
【背景技術】
【０００２】
従来、宝飾品がショウーウインドウ、ショウーケース等において陳列展示される際、展示品を載置した台盤を回転させる装置が一般的であるが、またペンダント等の吊り下げ形の宝飾品に対し、一回転内で低速掃引回転ののち急速復帰する間歇回転することにより、煌き光彩効果を得る展示装置も提案されている。（例えば特許文献１参照）
【０００３】
【特許文献１】特開２００５−２７８３７
【０００４】
展示品を載置した台盤がその中心軸の周りに回転する従来機構の展示装置では物品の位置の移動が大なるにも拘らず平面上の運動であるため、物品自体の各面の角度変化は小なる故、求める光彩変化が少なく美観効果は小さくなり、また物品の位置の移動と物品の向きの転向により観覧者は物品の形状、形態の正確な認識が困難となる。
【０００５】
自動巻き腕時計の自蔵回転錘の回転面を略垂直に保持し該時計全体を該錘回転面に沿い自転させることにより巻き上げを可能とする自動巻き腕時計巻き上げ装置はすでに提案されているが、該既提案の装置では、時計を精密機械技術および工芸品として宝飾品と同様に観察し得るには観察対象が自転、倒立などの状態を呈することから展示目的には適合し難いものである。（例えば特許文献２参照）
【０００６】
【特許文献２】特開２００４−２１２２６６
【０００７】
特許文献３に提示される一方法（文献３の図１）は、水平板面に対し傾けた円形の受皿の外縁を該水平板面に接触させながら、受皿が自転できるよう受皿の裏面の中心より裏面に鉛直に該水平板を貫通して下方に延長した軸棒を植設し、該軸棒の該裏面近傍位置を軸棒の回転と偏角と軸方向の滑りを可能とする自在軸受を該水平面上に固定して設け保持し、軸棒の下端をモータで旋廻するアームにより駆動し、受皿の外縁が水平板上で輪転し皿面が揺動する構造であるが、この構造には以下記述の問題が存する。
【０００８】
前記構成では受皿の裏面の中心に鉛直に植設された軸棒を該裏面に近くで支える自在軸受と駆動アームの軸棒孔と受皿の水平板面との接触点との三点で受皿の重量を支えることとなるが、受皿の水平に対する傾斜を例えば略２０度以下とする場合すなわち受け皿の軸棒が垂線に近い同角度を呈するためアームの駆動半径が小さくなることによる受皿を輪転させるに要する軸トルクが増えることおよび軸棒が垂直に近づくほど受け皿からの垂直荷重のため軸受とアームと軸棒間に穿鑿動作などの複合した荷重と部材のストレスを生ずる。従ってアーム駆動軸を自在軸受の垂下線に対し偏移させ受皿の傾斜をその輪転に応じて揺動変化させる目的には適合し得ない。また受皿の裏面外周部と水平板との機械的結合に部材の摩擦力が利用されているが動作の安定性を保証し難く、また歯車による場合は受皿の傾斜角度が特定の場合は専用の傘歯車が必要となり、可変傾斜を目的とする場合は実現困難と考えられる。    
【０００９】
前記文献における他の方法（文献３の図３）の構成として水平に回転できる円盤の周辺に高さの異なる三個のローラ脚を設けこれらローラに支持された傾斜せる受皿を、該円盤の中央孔を貫通して受皿の中心点をユニバーサルジョイントとこれと連結する下垂軸とこれと継結するモータで駆動し、三脚を有する水平円盤は他のモータで駆動する構成の展示装置においては皿面の傾斜は水平円盤の回転位置で決まり、その傾斜を保ったまま下垂軸の旋廻により受皿が自転する動作となり、複合した面運動すなわち揺動運動が得られるが、揺動の振幅の変更はローラ脚の高低差を変えねばならず困難であり、また装置の構造が複雑となる欠点がある。（特許文献３参照）
【００１０】
【特許文献３】特開平１０−２０８２３
【発明の開示】
【発明が解決しようとする課題】
【００１１】
本件の課題の重要事項は指輪、ペンダント、腕時計等の宝飾工芸品を展示する際従来装置のように軸周りに回転する展示台盤に載置する構造の展示装置では観覧者の視野内において観察中の対象物品が台盤の回転乃至は盤面の位置の移動により大きく移動あるいは正規観察姿態に対し転向、旋廻、倒立などの姿態で視察されるため、前記光彩の変化と合い俟った展示品の正確な姿態を観察し難いという欠陥があることである。
【００１２】
上記の従来の回転展示台において該盤面を水平面に対し傾斜させ該盤面の軸まわりに回転する盤面上に、自動巻き腕時計の表時盤を展示台盤面に略平行なるよう載置するときは    該時計内の回転錘は重力作用により垂下平衡方向に自転制動され、これに対し時計本体が台盤の回転とともに自転するためゼンマイが巻き上げられるが、前記宝飾品の場合と同様、展示品の観察向きの回転、転倒を生ずるため展示品の形態観覧には正確な観察をなし得ない（例えば、特許文献２参照）。
【００１３】
本来観覧者が宝飾品、工芸品を手にとって眺めるとき慣習的にその対象を三次元座標空間内において傾けかつ傾きを連続的に変化させながら、対象からの反射光、屈折光等の光彩、様態の変容を観察するものである。本発明は展示品を展示台盤に載置したとき上記と略同様の観覧効果が得られる展示装置を意図するものであり、傾けた盤面の向きを経時的に転向旋廻し、載置した物品は基本案では方向姿勢を変えず、波状の上下仰伏の揺動を周期的に伝播反復する動作をなすことで、前記観覧者の観察動作と同様の効果を期そうとするものである。
【００１４】
上述のように、宝飾品の展示装置として具備すべき事項は展示品の光彩変化と正確な容態が観察でき、自動巻き腕時計の場合にも宝飾品と同様に載置することができかつゼンマイが巻き上げられる能力を有する宝飾品展示装置の具現を図るものである。
【課題を解決するための手段】
【００１５】
請求項１記載の発明（以下本発明１という）は上記課題を解決するための手段として、宝飾品を展示する載置台盤と、該台盤の傾斜角度を設定しかつ該台盤自体は回転せず該傾斜面の方向ないしは方位をのみ旋廻させる機構と、該傾斜面の全方位角３６０度の０度、１８０度において傾斜角を非対称に設定し得る機構と、前記台盤傾斜面の方向を旋回させる機構を回転駆動するギヤードモータと、該ギヤードモータの回転速度と回転方向を設定、制御する制御要素とにより構成された展示盤面揺動駆動機構を基本構成としたものである。
【００１６】
上記手段の主要機構は図１において展示台盤１の裏面中心点より該面に鉛直に軸棒２が固植してあり、図５に示すように該軸２の上端の近傍の軸上の一点Pにおいて直交する架軸２ｃにより十字形を形成してあり、直交二軸軸受環３により架軸２ｃをX−X’に平行かつP点を通り架軸２ｃに鉛直なるよう支持軸４により支持され、架軸２ｃは該軸周り、直交二軸軸受環３は支持軸４の回りにそれぞれ自転し得る機構である。而して図５の如く軸棒２の下端近傍の任意箇所を、X−Y平面内でP点よりの垂線Z−Z’を軸として旋廻する腕具６の緩み孔６ａとのルーズ結合にて駆動するとき、軸棒２の上端はP点を梃子の支点として円運動を呈し、従って軸棒２を法線とする展示台盤面１ａは与えられた傾斜角度を保ちながら、盤面は自転せず傾斜面の方位のみ旋廻し、本案目的の主要動作が全うされる。
【００１７】
図５において駆動軸８をY2’方向に偏移することにより台面１ａの傾斜角はY1−Y1’方位についてY1側に大きく設定され、観覧者の視線が水平に近い伏角の場合においても展示品の主面を該視線に相対的により広く向合させることができる。
【００１８】
図３に示すように自動巻き腕時計を該時計保持台に嵌載し、該支持台を盤面１ａ上に載置し、前記腕具６による駆動半径Rを適宜設定することにより、盤面の傾斜角変化を大きく与え、かつ該腕具の駆動軸周りの回転方向を定時間毎に反転駆動させることにより、該時計内蔵の回転錘が盤面の傾斜の変化とともに旋廻運動を生じ、該回転錘の巻き上げ回転方向を問わず、ゼンマイの巻き上げ動作を行なうことができる。該盤面１ａは軸２の周りに回転するものではない機構であるため、表時盤等の正規観覧方向が旋廻することなく、宝飾品と同様に光彩および様態の認識が可能となるものである。
【００１９】
本発明３は本発明１に記述の盤面自体は自転せず盤面の傾斜面の方位のみ旋回する揺動動作を維持しつつ台盤を支える直交二軸の交点Pを中心として自転させ、盤面が揺動動作と回転動作の複合運動を呈するよう意図したものである。本発明１は小型の宝飾品類の展示に適応し展示品の向きは変えず、傾斜角度の変化と位置の高低変化の合成変化による光彩と姿態の変容を観覧することに適応し、これに対し本発明３の装置では容器、碗、籠等の工芸品を展示する場合、展示品の正面、側面、背面等外周３６０度の観察および容器内部を覗き観る場合には揺動動作に伴う傾斜角度の変化による精緻多彩の観察をも可能とするものである。
【００２０】
本発明４は本発明１に記載の展示装置において展示盤面に載置した自動巻き腕時計のゼンマイ巻き上げ動作を行わせるための該盤面の揺動動作の制御方法と制御回路を提起したものである。傾斜せる盤面の方位の旋回により該面は揺動動作を呈するが、該盤面と平行して載置せる自動巻き腕時計の自蔵回転錘は該盤面の方位の旋回移動とともに自転する。  ゼンマイの巻き上げ動作はこの自蔵回転錘の自転が時計方向か反時計方向かの何れかであるが統一規格はない。本発明４は前記巻き上げ方向が何れの場合にでも対応し得るべく盤面の方位の旋回方向を一定時間毎に交互に反転する制御機能を具備した展示装置である。
【００２１】
本発明２は本発明１に記載の展示盤面の揺動動作と同等の動作を１基の駆動機構により複数の展示盤面を一斉に作動させることを意図した廉価で展示面積を大きくすることを図った多面の展示装置であり、この装置は通常ショウーケース内に置かれることを前提とする。指輪等小型宝飾品類、腕時計等の精密機械類など展示品の種別ごとに個々の盤面に載置し
各盤面の同時揺動動作による複数品種の観覧が可能となり、また同種多数の展示品の同期（シンクロナイズ）した観覧効果を得ることもできる。  
【発明の効果】
【００２２】
従来の宝飾品展示装置は展示台盤が旋廻し移動することから展示品の単調な容姿変化のみ認知できるものであったが本発明１，２は水平面に対し傾斜せる盤面の方位を旋廻することで生ずる揺動動作により載置展示品の多様な光彩変化が得られ、また自動巻き腕時計を載置する場合は該揺動動作によりゼンマイの巻上げが行われ、長期の展示において腕時計を稼動状態に保つことができエージング効果を与えることができる。
【００２３】
上記のように本発明１および２の機構は宝飾品の観覧観察と自動巻き腕時計の観覧観察およびゼンマイ巻上げ動作が一台の装置で兼用し得る機構であり用途、コストについて有利となる。また本発明３の機構は箱、碗、籠等工芸品の展示に好適であり本発明１記述の揺動動作による展示品の観察角度の変化と本発明３記述の３６０度の水平回転動作による外観観察が実現できるものである。
【発明を実施するための最良の形態】
【００２４】
本発明１の展示装置はショウーウインドウまたはショウーケース内の静止台または静止棚板上に該装置の５ａ面を観覧者に向けかつ観覧者の該装置展示台盤への視線角度が通常伏角略２０度より略７０度の範囲となるよう設置する。  前記視角内において通常、宝飾品を展示する場合、その光彩の変化、形態の美的変容を最も華美なるよう展示盤面の傾斜角度の変化量および偏移角度を調節、設定する。  
【００２５】
自動巻き腕時計を戴置展示し自動巻き動作を最も強く行わせるには展示盤面の傾斜角度の変化幅すなわち盤面の傾斜角度の揺動の全振幅を最大とすることである。これには駆動腕具動作半径Rを最大に設定することにより成し、該時計内の回転錘に対する重力モーメントの利用効率を最大として供する。伏角略３０度以下の視線で展示盤面を視る姿勢の場合には駆動軸８をZ−Z線に対し距離Dなる偏移を与えることにより戴置面の方位が５ａ面側すなわち観覧者に向くとき戴置面の対水平角度は大となり、宝飾品と略同様に観覧目的をも達することができ自動巻き腕時計の巻上げ動作をさせながら該時計の光彩、技巧、美観等を観賞することができる。
【実施例１】
【００２６】
以下添付図面に従って一実施例を説明する。１は宝飾品等を載せ展示するための台盤で、その軸棒２は該台盤に対し鉛直に植結してあり、軸棒２により台盤１は支持されるが、軸棒２を中心として回転はしない機構であるため該台盤は必ずしも円形でなくてもよい。台盤の表面１aには一例として展示品を脱着可能で搭載時固定するためのファスナマット１ｄが貼られてある。本実施例では展示品を宝石指輪、ペンダント、腕時計等の宝飾品の範疇の物品を展示するものとし、宝石指輪類には例えば図２のようにホルダ１３に該指輪
１２の環状部１２ｂをはめ込み、該ホルダの底面には前記ファスナマット１ｄに接合するファスナマット１３ａを介し載置する。  またバンド１４ａを付帯する腕時計または同自動巻き腕時計１４を展示するには図３に示すような手首形ホルダ１５により、前記同様ファスナマット１５ａを介し載置する。台盤１の裏面の支持構造を美観上覆隠するため該台盤周縁部に金属板または繊維垂れ幕状のスカート１ｅを付すことがある。
【００２７】
本装置の展示台盤面について上記展示品の載置方向は構造上決っており、まず図１において台形ハウジング５の左側面５ａが本展示装置の正面であり、物品の正面下端側例えば腕時計の場合図４に示すように表時盤１４ｂの“６”を前記左側面５ａ側に向け盤上に載置する。展示品の載置数は装置の規模によるが通常１個乃至数個を基準とし、載置の方向は基本的にすべて前記同様、同一方向とする。
【００２８】
台盤１の支持手段は着脱容易なるよう一例として中心にはボス１ｂを設け、台盤を支持する軸棒２の上端部２ａの削欠部２ｂに押し込まれる板ばね１ｃとともに嵌合固定される。台盤面１ａの中心部にも展示品を載置可能とするため該面１ａには突出部を設けない。軸棒２の上端に近い位置で軸棒に対し直角に設けた架軸２ｃは軸棒２とで十字形をなし、架軸２ｃは直交二軸軸受環３内において、該軸受環をY1-Y1’線上に支える支持軸４に対し直角すなわちX−Z平面内で回転可能なるよう支持される。直交二軸の交点Pは盤面１ａの中心より軸棒２の下端近傍の駆動点６ａ間についての梃子の仮想支点（以下単に支点ということもある）として作動する。
【００２９】
図５において軸棒２は該軸に対する駆動点６ａ、詳しくは緩み孔駆動点６ａを有する駆動腕具６のZ軸周りの回転により半径Rの円運動として駆動され、偏角θは一定の状態で軸棒２はZ軸の周りを偏向旋廻する。軸棒２に直角に固定されている台盤面１ａは水平面に対し同じく偏角θなる傾斜を保持した状態で、腕具６の前記運動に従い支点Pを介し梃子の理により駆動点６ａに対し逆方向に回転する。しかし上記駆動軸６の旋廻駆動に対し軸棒２自体の軸周りの回転は直交二軸軸受環３の支持軸４により阻止されており、展示台盤１自体は決して自転しない。該軸受環３は支持軸４により該軸の周りに回転可能に保持され、かつ支持軸４は支持ブロック４ａによりY２−Y２’とZ−Z’との平面内でY2−Y2’に平行に支持されている。
【００３０】
支点Pからの垂線Z−Z′上に駆動軸８を設置するときは、駆動点６ａがY2またはY2’何れの方向にあっても偏角θは等しく従って盤面の傾斜角も等しく作動する。これに対し駆動軸８をY２’方向に距離Dだけ偏移設定する場合では駆動点６ａがY2’方向にあるときはY2にあるよりもθは大となり、盤面の傾斜角はY1方向がY1’方向より大となり、偏移距離Dの大きさにより偏角θの非対称性を設定することができる。支点Pと駆動点６ａとの軸棒２上の距離は前記非対称設定の場合、駆動腕具６の回転に伴い変化するため駆動点６ａである緩み孔は軸棒との相対回転および軸棒の軸心方向に滑り機能が必要である。
【００３１】
偏角θを大きく設定する仕様の機構においては例えば図１のように軸棒２と鋼線軸２ｂを接植し、かつ結合板面の角αを与え、該結合部材の磨耗の減少化と動作の円滑化を図る。また腕具６に支持棒６ｂを継植し駆動軸継手７の水平穴に嵌合させ、駆動腕としての長さRを適宜設定し得る構造とし、さらに駆動軸８をY2’方向に距離D偏移し得る構造とすることでY2−Z面内での偏角θの大きさと非対称の度合いを任意設定可能としている。すなわち台盤面傾斜面がY1’またはY2’側に向くとき傾斜角は小さく、Y1またはY2側に向くとき大きい傾斜を与えるものである。また観覧者の水平視線に近く台盤の基準水平面が設置される場合、Y1’またはY2’側に向くとき大きい傾斜が与えられると視線は盤面の裏面近くを見ることとなる不都合を生ずるため、これを防止すべく前記D距離の偏移を必要とする。
【００３２】
腕具６は大型の展示装置の場合は軸棒２に対する自在継ぎ手として一般に使用される調心軸受を利用することも本案の趣旨に反するものではない。すなわち例として図７のように調心軸受６ｃの内輪６ｄには軸棒２を貫通させかつ該内輪は軸棒の長さ方向に滑り可能な構造とし、外輪６ｅは軸受保持枠６ｆ内に嵌合固定され該保持枠は支持棒６ｂに継結される。調心軸受６ｃの構造は前記図７に示す構造のほか調心ボールベアリング等が使用できる。駆動軸継手７は駆動軸８に嵌合し押しねじ７ｂにより該軸に固定される。
【００３３】
９は変速可能なモータの軸回転をさらに歯車により減速し駆動軸８を１回転数秒ないし三十秒程度以内の速度で回転させる所謂ギヤードモータ９ｂを内包する箱体である。該箱体９の本装置基盤１０への載置には一例として基盤の植込ビス１０ａを箱体縁部の基盤接触部９ａの長穴に通しローレットナット１０ｂで締付することで、軸８の偏移距離Dを調整設定することができる。
【００３４】
ギヤードモータ９ｂおよび該モータを制御駆動する電気回路は代表的な構成の一例を示せば、図８のように回路ブロック５‐１または５‐２と、商用電源より該ブロックに電力を供給する交流直流変換および電圧逓降装置により構成されるブロック１６とにより構成される。回路ブロック５‐３はステップモータ９ｃを用いた場合の制御回路であり、ディジタル回路で構成する。
【００３５】
回路ブロック５‐１は自動巻き腕時計を展示盤面に戴置し巻き上げ動作を行わせる回路構成、５‐２は前記巻上げ機能を有しない場合の基本構成である。前記各回路ブロックはそれぞれ展示機構（図１、図９、図１０）のハウジング５内に収納した構成を基本とするが、該展示機構に対し構造配置上分離した対応回路ブロックから遠隔操作により該展示機構を作動させる構成も有用である。  例としてショウーケースの陳列棚に前記展示機構を置き展示機構の制御はショウーケース裏側に設置する場合などである。
【００３６】
前記回路ブロック５‐２より説明すれば、モータ９ｂは分捲特性すなわち供給電圧に略比例して回転速度が変化する型種のもので使用例では定格電圧は直流12V、同６V等である。１２V型の場合、回転速度を例えば略４倍可変とするには３V〜１２V間の電圧を与えればよい。定格入力３W程度のモータの場合前記電圧調整設定は本装置への入力電圧を直流12Vとして該電圧を可変定電圧回路素子１１ａおよび出力電圧設定用ポテンショメータ１１ｂによりなされ、入力接栓１１および電源開閉器１１ｃとともにこれら素子は基本構成としてはハウジング５内に装備される。
【００３７】
該可変速度に対し固定速度の仕様の構成では前記１１ａおよび１１ｂは不要となり簡素化される。またさらに商用電源定格のギヤードモータを用い本案展示台盤の上記揺動周期を一定とした仕様の場合は前記１１ａおよび１１ｂは不必要となり、電源接栓１１および１１ｈは商用電源に適合のものとすることで最も部品数少なく廉価な構成となる。
【００３８】
前記回路ブロック５‐１、５‐２はモータ９ｂが前記分捲特性仕様の場合のモータ制御駆動装置の構成例であるが他の構成例としてステップモータ９ｃとステップモータ制御駆動装置１１ｈおよび操作器１１ｉによる回路ブロック５‐３により前記ブロック５‐１と同様の機能を得ることも可能である。
【００３９】
本展示装置１基を単独使用する場合は商用電源に対し小電力１出力の商用交流低圧直流変換装置を用い、また本展示装置の複数基を１展示場所において運転する場合には高出力電力定格かつ出力接栓を複数設けた商用交流低圧直流変換装置１６を介在させる。
【００４０】
一般に自動巻き腕時計のゼンマイの巻上げ動作は内臓回転錘の時計本体に対する巻上げ方向の積算角により与えられ、該巻上げ方向は時計の表時盤に対し回転錘が時計周りの方向のとき巻かれるか、あるいは反時計周りのとき巻かれるかによる構造上の差異を有するものであるが、時計の製造者乃至型種において該巻上げ回転方向は明示されていない。
【００４１】
本展示台盤１上に自動巻き腕時計を図３、図４に示すように表時盤１４ｂを盤面１に略平行に載置し、駆動腕具６が時計方向に旋廻する場合、最初該表時盤の「６」位置が最低位と仮定すると、腕具６の回転に伴い仮想支点Pを介した盤面１の動作により表時盤の「９」→「１２」→「３」→「６」の順に表時盤面の最低位が経時連続的に移動、循環変位し、この揺動動作によりゼンマイの巻き上げ操作が行われる。  該揺動動作において盤面１は腕具６の旋廻駆動では回転せず載置した時計は観覧者の視野において常に正規の「向き」、すなわち図４に示す状態を保持することにより正確に表時盤面の観察が可能となるものである。
【００４２】
前記表時盤の高低変動に付随して生ずる表時盤面の傾斜勾配に平行の面内で、回転錘は重力による最下位指向の回転力を生じ、該傾斜勾配の変化に応じ左右に回転するが、内部リチェット機構により巻き上げか空転かの所謂機械的整流作用を生ずる。時計による該リチェット機構の整流作用の左右方向は無識別であるから、本展示装置では駆動腕具６の旋廻方向を必ず左右反転かつ反復するものとし、このためのギヤードモータの制御には回路ブロック５−１を用いる。    
【００４３】
回路ブロック５−１はギヤードモータの直流電圧の極性を反転切換えするための二極双投開閉素子１１ｆ、該開閉素子を働かせる双安定素子および前記反復動作の半周期を与える時限回路１１ｄおよび反復時間設定器１１ｅにより構成されハウジング５内に付加装備することにより実現される。回路ブロック５−３とステップモータを用いる構成では回転の速度、正逆、時限設定等すべてディジタル方式で構成される。    
【実施例２】
【００４４】
本発明２の実施例につき説明する。図９に示すように実施例１の盤面揺動機構を複数基、X座標上に並設または任意の平面配置に並設し、１基を自己の回転駆動とともに他基への回転駆動源とし、他基はすべて受動回転機構を有し、前記すべての回転輪をベルトなどで連動させる実施例１の応用構成としての複数基連動構成の展示装置を提起するものである。  
【００４５】
図９において第１盤面駆動機構は図５の構成における駆動腕６を駆動輪６‐１に換えた構成とし、第２盤面駆動機構は第１盤面駆動機構の構成の駆動輪６‐１を被動輪６‐２に換えかつ支軸８‐１に対し空転し、ギヤードモータを排する構造とする。第１、第２盤面駆動機構は図９に示す実施例では総合台盤上に各X1−X1′軸が互いに一直線または並行なるよう固定戴置し、駆動輪より被動輪にはタイミングベルトにより動力伝達する。  前記各輪の緩み孔６‐１ａ、６‐２ａは互いに位相を合わせ、軸偏移Dを共に一致させることにより各展示盤面の面方位旋廻および揺動は互いに同期して作動する。同期を必要としない構成ではフラットベルトとプーリによる伝動機構を用いることも可能である。
【００４６】
前記第２盤面駆動機構を複数基と、該複数基とは独立した１個の回転駆動機構とを１つの総合基台上に固定戴置し、前記複数基の被動輪を１個の駆動輪により連動同期回転させ、複数の展示盤面の同期動作を得る構成は展示規模と展示のバラエティを創設するに適するものである。
【実施例３】
【００４７】
図１０は本発明３の実施例の縦割り構造図、図１１は図１０に対する構造説明のための鳥瞰図である。図１０は図１におけると同様の直交二軸軸受環３を支持する支持軸４と保持ブロック４ａとで構成する揺動機構を一体として水平面内で自転させる歯車４ｂの中心軸孔内に設け、歯車４ｂを駆動するピニオン歯車４ｅと該歯車４ｅを回転駆動するモータ４ｆを付加することにより盤面の揺動動作と旋回動作を重畳して作動することのできる展示装置である。該実施例では軸棒十字交点Pを水平面上の回転中心点として歯車４ｂの中央孔内に支持軸４により支持し、歯車４ｂはスラスト軸受４ｃと抜け止め環４ｄによりハウジング上面板５ｂに搭載した構造で、ピニオン歯車４ｅおよびモータ４ｆにより駆動される。  而して既述の如く軸棒２の下端２ｂを駆動軸８および駆動腕具６により旋廻駆動することにより盤面は既述の揺動動作を呈しながら歯車４ｂの回転に伴い直交二軸軸受環３が支点Pを中心として回転し、盤面上の載置展示品は揺動動作と盤面旋廻の合成運動を受け、揺動動作に伴う光彩変貌と旋廻動作による外周の光彩と様態の変化を一視野のもとで観察することができる展示装置を提案するものである。  
【００４８】
図１０の構成は盤面の揺動動作と旋廻動作それぞれの周期を個別に設定できることを意図したもので、モータ４ｆはギヤードモータ９ｂとともに可変速度仕様のものを装備する。
モータ４ｆへの給電は旋廻動作を定時間反転駆動とするには図８の回路ブロック５−１を、また一方向連続駆動とする場合には回路ブロック５−２を、それぞれモータ９ｂを除外した構成をもって適応される。
【００４９】
図１０においてモータ４ｆを排し駆動軸８よりピニオン歯車４ｅにリンク機構を設け、駆動軸８による揺動動作と歯車４ｂによる旋廻動作の回転比を固定または段状に設定し得る機構と１個のモータにより駆動軸８を駆動する構成による簡素化した展示装置も本発明の意図する範疇のものである。
【図面の簡単な説明】
【００５０】
【図１】本発明の基本となる実施形態を示す宝飾品展示装置の構造図
【図２】指輪を本発明の装置の展示盤面に載置する場合の実施形態例
【図３】自動巻き腕時計を展示盤面に載置する場合の実施側面形態例
【図４】自動巻き腕時計を展示盤面に載置する場合の実施正面形態例
【図５】本発明の主目的を実現するための機構の原理説明図
【図６】軸棒駆動のための緩み孔自在継手の実施形態例
【図７】軸棒駆動のための調心自在継手による実施形態例
【図８】本発明の展示装置の電源および制御系統実施例の系統図
【図９】請求項２の機構の実施例
【図１０】請求項３の機構の実施例
【図１１】請求項３の機構の鳥瞰図
【符号の説明】
【００５１】
１        展示品載置用台盤
１ａ      展示品載置面
１ｂ      ボス
１ｃ      板ばね
１ｄ      展示品載置用ファスナマット
１ｅ      スカート
２        軸棒
２ａ      軸棒上端ばね挿圧部
２ｂ      ばね挿圧部
２ｃ      架軸
３        直交二軸軸受環
４        支持軸
４ａ      支持ブロック
４ｂ      歯車
４ｃ      スラスト軸受
４ｄ      抜け止め環
４ｅ      ピニオン歯車
４ｆ      ギヤードモータ
５        台形ハウジング
５ａ      同上ハウジングのY側面または観覧正面
６        駆動腕具
６ａ      駆動点、詳しくは緩み孔駆動点
６ｂ      支持棒
６ｃ      調心滑り軸受継手
６ｄ      内輪
６ｅ      外輪
６ｆ      調心軸受保持枠
６‐１    駆動輪
６‐１ａ  緩み孔
６‐２    被動輪
６‐２ａ  被動輪の緩み孔
６‐３    タイミングベルト
７ａ      駆動腕締付ねじ
７ｂ      駆動軸接合ねじ
８        駆動軸
８‐１    被動輪軸
９        ギヤードモータ収納箱体
９ａ      該箱体の基台接合部
９ｂ      モータ本体
９ｃ      ステップモータ
１０      展示装置基台盤
１０ａ    植込ビス
１０ｂ    ローレットナット
１１      電源接栓
１１ａ    可変定電圧電源素子
１１ｂ    盤面方位旋廻速度設定器
１１ｃ    電源開閉器
１１ｄ    時限回路
１１ｅ    反復時間設定器
１１ｆ    極性反転開閉器
１１ｇ    双安定回路
１１ｈ    プロセッサ
１１ｉ    設定操作器
１２      宝石指輪
１２ａ    宝石
１２ｂ    指輪部
１３      指輪保持台
１３ａ    ファスナマット
１４      腕時計本体
１４ａ    バンド
１４ｂ    表時盤
１５      腕時計支持台
１５ａ    ファスナマット
１６      商用交流低圧直流変換装置
１６ａ    商用電源接栓
１６ｂ    直流出力接栓
Ｐ        軸棒十字交点の空間座標または空間支点
α        緩み孔腕具面仰角
θ        軸棒の偏角
Ｒ        駆動腕駆動半径
Ｄ        Y軸上の偏移
A        軸棒２を旋回させる駆動機構
B        偏移距離Dの設定機構
５‐１    盤面反復動作対応回路ブロック
５‐２    盤面単方向動作回路ブロック
５‐３    ステップモータ対応回路ブロック
【図１】
2008080107.tif 000003
【図２】
2008080107.tif 000004
【図３】
2008080107.tif 000005
【図４】
2008080107.tif 000006
【図５】
2008080107.tif 000007
【図６】
2008080107.tif 000008
【図７】
2008080107.tif 000009
【図８】
2008080107.tif 000010
【図９】
2008080107.tif 000011
【図１０】
2008080107.tif 000012
【図１１】
2008080107.tif 000013